(57)【要約】      （修正有）【課題】完成したジグソーパズルを屋内に飾るに際し、飾り場所に適したジグソーパズルとこのジグソーパズルに適したフレームとの選択を容易とするジグゾーパズルシュミレーション装置及びコンテンツサーバを提供する。【解決手段】ジグソーパズルの情報を記憶するパズルデータベース２１と、フレームの情報を記憶するフレームデータベース２２と、屋内風景画像データを記憶する屋内風景データベース２３と、表示部１５と制御部２０とを有し、制御部２０は、絵の種類及び特徴に基づいてジグソーパズルの検索を行い、屋内風景データベース２３から屋内風景画像データを選択し、壁などにジグソーパズルの絵柄を合成して表示し、さらにフレームが選択されたとき、このフレームにジグソーパズルを収めた状態で壁などに取り付けた状態を示す画像の表示を行う。【選択図】図２
0003187350.tif 000002
【実用新案登録請求の範囲】
【請求項１】
ジグソーパズルの完成絵柄写真、ピース数、完成サイズ、絵の種類及び特徴の情報を記憶するパズルデータベースと、
フレームの外観写真、収納可能なジグソーパズルのサイズ、材質、装飾状態、色、の情報を記憶するフレームデータベースと、
屋内風景画像データとこの画像データの名称情報を記憶する屋内風景データベースと、
を有する記録部を有し、
更に、表示部と制御部とを有し、
前記制御部は、
前記絵の種類及び特徴に基づいて前記パズルデータベースに記憶されているジグソーパズルからジグソーパズルの検索を行って特定のジグソーパズルの選択を可能とし、
前記屋内風景データベースに記憶されている前記屋内風景画像データから特定の屋内風景画像データの選択を可能とし、
前記フレームデータベースに記憶されているフレームから特定のフレームの選択を可能とし、
選択された前記特定のジグソーパズル、選択された前記特定の屋内風景画像データ、選択された前記特定のフレームに基づいて、前記選択された特定の屋内風景画像データによる屋内風景に前記選択された特定のジグソーパズルの完成形を前記選択された特定のフレームに収めた状態で取り付けた状態を示す画像の表示を前記表示部に行うことを特徴とするジグソーパズルシミュレーション装置。
【請求項２】
前記制御部は、前記パズルデータベース中の前記特定のジグソーパズルが選択された後に、前記屋内風景データベース中の前記特定の屋内風景画像データの選択及び前記フレームデータベース中の前記特定のフレームの選択を可能とすることを特徴とする請求項１に記載したジグソーパズルシミュレーション装置。
【請求項３】
前記制御部は、前記フレームデータベースから特定のフレームを選択可能とするとき、前記パズルデータベースに記憶された前記完成サイズの情報と前記フレームデータベースに記憶された前記収納可能なジグソーパズルサイズの情報とにより、選択されたジグソーパズルを収納可能なフレームのみを選択可能とすることを特徴とする請求項２に記載のジグソーパズルシミュレーション装置。
【請求項４】
前記制御部は、前記パズルデータベースに記憶された前記絵の種類及び特徴の情報に基づき、前記パズルデータベースに記憶されているジグソーパズルをジャンル分けし、ジャンル毎の前記ジグソーパズルの絵柄を前記表示部に表示することを特徴とする請求項１乃至請求項３の何れかに記載のジグソーパズルシミュレーション装置。
【請求項５】
前記制御部は、前記フレームデータベースに記憶された前記フレームの材質及び装飾状態の情報に基づき、材質及び装飾状態毎の各色を前記表示部に表示することを特徴とする請求項１乃至請求項４の何れかに記載のジグソーパズルシミュレーション装置。
【請求項６】
前記制御部は、前記フレームデータベースに記憶されているジグソーパズルの検索を行って選択を可能とするに際し、前記パズルデータベースに記憶されているジグソーパズルの絵柄のサムネイルを前記表示部に表示し、選択されたサムネイルのジグソーパズルの前記完成絵柄写真の表示を行うことを特徴とする請求項１乃至請求項４の何れかに記載のジグソーパズルシミュレーション装置。
【請求項７】
ジグソーパズルシミュレーションのために用いられるインターネットを介して電子情報端末と接続可能なコンテンツサーバーであって、
ジグソーパズルの完成絵柄写真、ピース数、完成サイズ、絵の種類及び特徴の情報を記憶するパズルデータベースと、
フレームの外観写真、収納可能なジグソーパズルのサイズ、材質、装飾状態、色、の情報を記憶するフレームデータベースと、
屋内風景画像データとこの画像データの名称情報を記憶する屋内風景データベースとを備え、
前記電子情報端末と接続されることによって、
前記電子情報端末において、
前記絵の種類及び特徴に基づいて前記パズルデータベースに記憶されているジグソーパズルからジグソーパズルの検索を行って特定のジグソーパズルの選択を可能とし、
前記屋内風景データベースに記憶されている前記屋内風景画像データから特定の屋内風景画像データの選択を可能とし、
前記フレームデータベースに記憶されているフレームから特定のフレームの選択を可能とし、
選択された前記特定のジグソーパズル、選択された前記特定の屋内風景画像データ、選択された前記特定のフレームに基づいて、前記選択された特定の屋内風景画像データによる屋内風景に前記選択された特定のジグソーパズルの完成形を前記選択された特定のフレームに収めた状態で取り付けた状態を示す画像の表示を前記電子情報端末の表示部に行うことを特徴とするコンテンツサーバー。
【請求項８】
前記電子情報端末において、前記パズルデータベース中の前記特定のジグソーパズルが選択された後に、前記屋内風景データベース中の前記特定の屋内風景画像データの選択及び前記フレームデータベース中の前記特定のフレームの選択を可能とすることを特徴とする請求項７に記載したコンテンツサーバー。
【請求項９】
前記電子情報端末において、前記フレームデータベースから特定のフレームを選択可能とするとき、前記パズルデータベースに記憶された前記完成サイズの情報と前記フレームデータベースに記憶された前記収納可能なジグソーパズルサイズの情報とにより、選択されたジグソーパズルを収納可能なフレームのみを選択可能とすることを特徴とする請求項８に記載のコンテンツサーバー。
【請求項１０】
前記電子情報端末において、前記パズルデータベースに記憶された前記絵の種類及び特徴の情報に基づき、前記パズルデータベースに記憶されているジグソーパズルをジャンル分けし、ジャンル毎の前記ジグソーパズルの絵柄を前記表示部に表示することを特徴とする請求項７乃至請求項９の何れかに記載のコンテンツサーバー。
【請求項１１】
前記電子情報端末において、前記フレームデータベースに記憶された前記フレームの材質及び装飾状態の情報に基づき、材質及び装飾状態毎の各色を前記表示部に表示することを特徴とする請求項７乃至請求項１０の何れかに記載のコンテンツサーバー。
【請求項１２】
前記電子情報端末において、前記フレームデータベースに記憶されているジグソーパズルの検索を行って選択を可能とするに際し、前記パズルデータベースに記憶されているジグソーパズルの絵柄のサムネイルを前記表示部に表示し、選択されたサムネイルのジグソーパズルの前記完成絵柄写真の表示を行うことを特徴とする請求項７乃至請求項１０の何れかに記載のコンテンツサーバー。
【請求項１３】
前記電子情報端末において、前記屋内風景データベースに使用者が撮影した自宅等の部屋の写真の画像データの記録を可能とし、前記画像データは、大きさが定められている用紙を使用者がグソーパズルを飾りたい所望の位置にある状態で撮影した映像とし、前記用紙の面積を基準面積として、前記映像の前記用紙の周囲をなぞるようにして矩形の入力を行うと、選択されているジグソーパズル又はフレームの大きさを前記基準面積と比較し、ジグソーパズル及びフレームの表示サイズの自動調整をして前記表示部に表示することを特徴とする請求項７乃至請求項９の何れかに記載のコンテンツサーバー。
【考案の詳細な説明】
【技術分野】
【０００１】
本考案は、ジグソーパズルの完成品をフレームに入れ、屋内に飾った状態のシミュレーションを可能とする装置に関するものである。
【背景技術】
【０００２】
今日、ジグソーパズルには絵柄の美しいものが種々提供されており、絵柄の種類も、風景や動物、人物など、種々のものが提供され、ジグソーパズルを完成させた後は、額などのフレームに収めて室内装飾品として飾っておくことが行われている。
【０００３】
そして、本件の出願人は、ジグソーパズルの変色や退色を防止しつつジグソーパズルを飾るフレームに関しても既に出願を行っている（例えば特許文献１）。
【０００４】
また、ジグソーパズルは、ピース数及び絵柄の色合いや絵柄を形成する色の組み合わせなどによりパズルの難易度が異なり、描かれる絵の種類のみでなく、種々のピース数で異なる大きさのものが提供されている。
【０００５】
そして、完成したジグソーパズルを収納するフレームも、色や材質感を異ならせたもの、更に形状がシンプルな枠とされるものや枠に装飾が施された重厚なものなど、種々の種類のものが準備されるようになってきた。
【先行技術文献】
【特許文献】
【０００６】
【特許文献１】特開２０１０―２００９４１号公報
【考案の開示】
【考案が解決しようとする課題】
【０００７】
今日、ジグソーパズルは、絵柄も豊富であり、大きさも種々のものが用意され、完成したジグソーパズルを収めるフレームも種々のものが用意されている。
【０００８】
このため、完成したジグソーパズルを部屋などに飾るに際し、絵柄の色合いや絵全体の雰囲気に合わせたフレームを選ぶことは、組み合わせの種類が極めて多くなり、絵に合わせたフレームの選択が困難となることが多くなってきた。同様に、フレーム内のジグソーパズルを交換するに際し、フレームの雰囲気に合わせたジグソーパズルを選ぶことも困難となってきた。
【０００９】
また、ジグソーパズルの絵柄を選ぶに際しても、部屋の広さや飾る場所の広さに応じた大きさのジグソーパズルの内、本人の趣味に合致した絵を選択することは楽しみである反面、好みに合った最適の作品を探し出すことが困難な場合もあった。
【００１０】
本考案は、このような欠点を排除し、数多くの作品から本人の趣味に合った絵柄であって、飾る場所の大きさにあった大きさ及び飾る場所に適した絵柄のパズルの選択、更にこの絵柄に合わせたフレームの選択やフレームの雰囲気に合わせた絵柄の選択を容易とするシミュレーション装置を提供するものである。
【課題を解決するための手段】
【００１１】
本考案に係るジグソーパズルシミュレーション装置は、ジグソーパズルの完成絵柄写真、ピース数、完成サイズ、絵の種類及び特徴の情報を記憶するパズルデータベースと、フレームの外観写真、収納可能なジグソーパズルのサイズ、材質、装飾状態、色、の情報を記憶するフレームデータベースと、屋内風景画像データとこの画像データの名称情報を記憶する屋内風景データベースと、を有する記録部を有し、
更に、表示部と制御部とを有し、前記制御部は、前記絵の種類及び特徴に基づいて前記パズルデータベースに記憶されているジグソーパズルからジグソーパズルの検索を行って特定のジグソーパズルの選択を可能とし、前記屋内風景データベースに記憶されている前記屋内風景画像データから特定の屋内風景画像データの選択を可能とし、前記フレームデータベースに記憶されているフレームから特定のフレームの選択を可能とし、選択された前記特定のジグソーパズル、選択された前記特定の屋内風景画像データ、選択された前記特定のフレームに基づいて、前記選択された特定の屋内風景画像データによる屋内風景に前記選択された特定のジグソーパズルの完成形を前記選択された特定のフレームに収めた状態で取り付けた状態を示す画像の表示を前記表示部に行うものである。
【００１２】
また、このジグソーパズルシミュレーション装置の前記制御部は、前記パズルデータベース中の前記特定のジグソーパズルが選択された後に、前記屋内風景データベース中の前記特定の屋内風景画像データの選択及び前記フレームデータベース中の前記特定のフレームの選択を可能とするものである。
【００１３】
そして、前記制御部は、前記フレームデータベースから特定のフレームを選択可能とするとき、前記パズルデータベースに記憶された前記完成サイズの情報と前記フレームデータベースに記憶された前記収納可能なジグソーパズルサイズの情報とにより、選択されたジグソーパズルを収納可能なフレームのみを選択可能とするものである。
【００１４】
更に前記制御部は前記パズルデータベースに記憶された前記絵の種類及び特徴の情報に基づき、前記パズルデータベースに記憶されているジグソーパズルをジャンル分けし、ジャンル毎の前記ジグソーパズルの絵柄を前記表示部に表示するものである。
【００１５】
そして前記制御部は、前記フレームデータベースに記憶された前記フレームの材質及び装飾状態の情報に基づき、材質及び装飾状態毎の各色を前記表示部に表示するものである。
【００１６】
また、前記制御部は、前記フレームデータベースに記憶されているジグソーパズルの検索を行って選択を可能とするに際し、前記パズルデータベースに記憶されているジグソーパズルの絵柄のサムネイルを前記表示部に表示し、選択されたサムネイルのジグソーパズルの前記完成絵柄写真の表示を行うものである。
【００１７】
また、本考案に係るコンテンツサーバーは、ジグソーパズルシミュレーションのために用いられるインターネットを介して電子情報端末と接続可能なコンテンツサーバーであって、ジグソーパズルの完成絵柄写真、ピース数、完成サイズ、絵の種類及び特徴の情報を記憶するパズルデータベースと、フレームの外観写真、収納可能なジグソーパズルのサイズ、材質、装飾状態、色、の情報を記憶するフレームデータベースと、屋内風景画像データとこの画像データの名称情報を記憶する屋内風景データベースとを備え、前記電子情報端末と接続されることによって、前記電子情報端末において、前記絵の種類及び特徴に基づいて前記パズルデータベースに記憶されているジグソーパズルからジグソーパズルの検索を行って特定のジグソーパズルの選択を可能とし、前記屋内風景データベースに記憶されている前記屋内風景画像データから特定の屋内風景画像データの選択を可能とし、前記フレームデータベースに記憶されているフレームから特定のフレームの選択を可能とし、選択された前記特定のジグソーパズル、選択された前記特定の屋内風景画像データ、選択された前記特定のフレームに基づいて、前記選択された特定の屋内風景画像データによる屋内風景に前記選択された特定のジグソーパズルの完成形を前記選択された特定のフレームに収めた状態で取り付けた状態を示す画像の表示を前記電子情報端末の表示部に行うものである。
【考案の効果】
【００１８】
本考案に係るジグソーパズルシミュレーション装置及びコンテンツサーバーは、絵の種類及び特徴に基づいてパズルデータベースからの検索を行うため、好みに適したジグソーパズルの選択が容易であり、屋内風景データベースから屋内風景画像データを選択し、フレームデータベースからフレームを選択し、この選択したフレームに選択したジグソーパズルを収納した状態とし、このジグソーパズルを収めたフレームを選択した屋内風景画像データの壁などに飾った合成画像を表示するため、部屋などの屋内と屋内に飾る絵及びフレームとの統一性を確認することができ、ジグソーパズルを組上げる楽しみだけでなく、完成したジグソーパズルを飾る楽しみをも加味し、より確実に満足なジグソーパズルの選択が可能となる。
【００１９】
また、ジグソーパズルの選択後に選択したジグソーパズルを飾る屋内の状態やフレームの種類を選択できるようにしているため、ジグソーパズルの絵柄を趣味に合わせて選択し、好みに合った絵のジグソーパズルが屋内の飾る場所に適しているかを確認し、より効果的に飾れるフレームを種々のフレームから選択することができる。
【００２０】
そして、フレームを選択するに際し、選択したジグソーパズルを収納可能なフレームだけを表示するため、多種多様なフレームから容易に完成したジグソーパズルを飾るのに適したフレームの選択が容易に可能となる。
【００２１】
更に、ジグソーパズルの絵をジャンル毎に表示するものとすれば、好みに適した絵のジグソーパズルを検索及び選択することが容易となる。
【００２２】
そして、フレームを材質や柄などの種類毎に分けて表示すれば、ジグソーパズルの絵に適した好みのフレームの選択が容易となる。
【００２３】
また、ジグソーパズルの検索を行う際、サムネイルによる表示を行えば、多くのジグソーパズルを一画面に表示し、多数のパズルの内から好みに適したパズルの選択を効率的に行うことが可能となる。
【図面の簡単な説明】
【００２４】
【図１】本考案の実施形態に係るジグソーパズルシミュレーション装置の外観の一例を示す図。
【図２】本考案の実施形態に係るジグソーパズルシミュレーション装置の機能ブロック図を示す図。
【図３】本考案の実施形態に係るジグソーパズルシミュレーション装置の操作手順を示す図。
【図４】本考案の実施形態に係るジグソーパズルシミュレーション装置におけるジグソーパズルのジャンル別検索を行う際の表示画面の一例を示す図。
【図５】本考案の実施形態に係るジグソーパズルシミュレーション装置における選択されたジグソーパズルを表示する表示画面の一例を示す図。
【図６】本考案の実施形態に係るジグソーパズルシミュレーション装置における屋内設置場所の検索を行う際の表示画面の一例を示す図。
【図７】本考案の実施形態に係るジグソーパズルシミュレーション装置における選択された屋内設置場所を表示する表示画面の一例を示す図。
【図８】本考案の実施形態に係るジグソーパズルシミュレーション装置におけるフレームの検索を行う際の表示画面の一例を示す図。
【図９】本考案の実施形態に係るジグソーパズルシミュレーション装置における他のフレームの検索を行う際の表示画面の一例を示す図。
【図１０】本考案に係るジグソーパズルシミュレーション装置によるジグソーパズルの設置状態を合成した表示により示す表示画面の一例を示す図。
【考案を実施するための形態】
【００２５】
本考案に係るシミュレーション装置は、スマートフォンやパーソナルコンピュータなどの電子情報端末であって、例えば、図１に示すように、ノート型パーソナルコンピュータを用いてシミュレーション装置10とするものであって、ジグソーパズルの選択、及び、完成したジグソーパズルを収納するフレームの選択決定を行って、完成したジグソーパズルをフレームに納めて部屋などに飾る状態を視覚により確認することを可能とするものである。
【００２６】
このシミュレーション装置10には、シミュレーション用のアプリケーションがインストールされており、図２に示すように、装置本体の内部に、ＣＰＵやＲＯＭ及びＲＡＭにより構成される制御部20と、種々の情報を記憶するパズルデータベース21、フレームデータベース22、屋内風景データベース23を有する記録部と、更に、入出力インターフェース25とＵＳＢ端子などの端子27を備え、本体部12のキー入力部17への入力操作や表示部15へのタッチ入力、更に図示していないタッチパッドやマウスによる入力操作など、により種々の情報を表示部15に表示するものである。なお、各データベースは、インターネット回線を介したコンテンツサーバーや端子27を介したＵＳＢなどから最新のデータを取得することにより、アップデートすることができる。
【００２７】
このパズルデータベース21には、販売されるジグソーパズルの完成絵柄の写真である絵図データと合わせ、当該ジグソーパズルのピース数、完成サイズ、絵の種類や特徴の情報、絵や写真の作者名である作者情報などが記憶されるものである。
【００２８】
また、フレームデータベース22には、フレームの外観写真である外観データ、フレームの特徴を見易くしたフレームの角部分の写真であるサンプル情報、このフレームに収納可能なジグソーパズルのサイズの情報、材質の情報、装飾状態の情報、色の情報が記憶される。
【００２９】
そして、屋内風景データベース23には、モデルルームの室内風景写真の画像データが屋内風景画像データとして記憶されるものであり、居間、食堂、寝室、玄関、廊下、踊り場など、各画像データの撮影個所の名称情報が画像データとともに記憶されるものである。
【００３０】
尚、屋内風景データベース23には、使用者が撮影した自宅等の部屋の写真の画像データも、記憶させることができるものである。
【００３１】
そして、シミュレーションを開始するに際しては、表示部15にトップページの表示を行い、トップページ表示により、パズルの難易度に影響するピース数によるパズル検索か、絵の構図や色合い、絵全体の雰囲気などによる選択を行うための絵柄のジャンルに基づくパズル検索か、の選択を可能としている。
【００３２】
このジャンルによる検索では、「イラスト＆アート」「キャラクタ」「キュートアニマルズ」「恐竜」「コレクションパズル」「乗物」「風景写真」「フラワー」「マップ」「モノトーン」などの大項目があり、更に項目を細分化した中項目を設けている。
【００３３】
この中項目として、例えば、大項目の「イラスト＆アート」に対しては、「縁起画」「世界の絵画」「ファンタジックアート」「曼荼羅」などの絵の種類や作者名による分類の細分化を行い、大項目の「キュートアニマルズ」に対しては、「いぬ」「ねこ」「うさぎ」「パンダ」など、大項目の「乗物」に対しては、「鉄道」「船」「自動車」「旅客機」など、大項目の「風景写真」に対しては、「世界遺産」「トロピカルリゾート」「世界の風景」「富士山」「日本の城」「日本庭園」「日本の寺」「パワースポット」などの細分化を行っている。
【００３４】
更に、フレームデータベース22に記憶させるフレームの種類では、「木製」「アルミ」などの材質や、「デコラティブ」「ゴールドライン」などの装飾状態、「ナチュラル」「ブラウン」「ブラック」「レッド」「ホワイト」「ブルー」「グリーン」「シルバー」「ゴールド」などの色情報、を外観データやサンプル情報とともに記憶させている。
【００３５】
従って、トップページでジャンル検索を行うと、パズル選択画面表示（Ｓ１０１）として、図４に示すように、表示部15には、大分類の項目リストが表示される項目表示欄31とサムネイルが表示される写真表示欄33が設けられ、写真表示欄33には先頭項目リストに含まれるパズルのサムネイルが複数表示される。
【００３６】
そして、項目表示欄31においては、写真表示欄33にサムネイル表示された絵柄の属する項目が着色表示され、着色表示されたジャンルに含まれる各ジグソーパズルの絵柄が写真表示欄33に表示され、項目表示欄31における着色されていない他の項目を選択すれば、選択された項目が着色表示され、選択された項目のジャンルに含まれるジグソーパズルのサムネイルが写真表示欄33に表示されるものである。
【００３７】
また、項目表示欄31に表示されている項目を選択すると、選択された項目の中分類が表示され、先頭項目に属するフレームの絵柄が写真表示欄33にサムネイル表示される。
【００３８】
そして、写真表示欄33の表示をスクロールさせることにより、表示されていない作品のサムネイル表示を行い、ジャンル別に分けられた種々のパズルを検索することができる。
【００３９】
そして、サムネイル表示された複数の絵柄の内、特定の絵柄が選択されたとき、図５に示すように、そのジグソーパズルの詳細情報と合わせて完成図を表示部15に表示するパズル表示画面表示（Ｓ１０５）を行う。
【００４０】
従って、完成図により絵柄の詳細を確認すると共にサイズ表示によりその大きさを確認して使用者の希望に合致したジグソーパズルであるか否かを確認することができ、サイズ、又は絵の雰囲気が希望したものと異なれば、「もどる」と表示されたアイコン41に選択してサムネイル表示に戻すことができる。
【００４１】
このため、更に他のジグソーパズルを検索し、他のジグソーパズルの完成図の表示を行わせて比較検討や検索を継続し、希望する商品への絞り込みや決定を容易とすることができる。
【００４２】
更に、希望する絵柄や大きさのパズルが決定されたとき、表示部15にアイコン41として表示される「フィッティング」を選択すると、制御部20は部屋選択画面表示（Ｓ１１０）を行い、図６に示すように、項目表示欄31には屋内の場所の名称が表示され、写真表示欄33にはモデルルームにおける項目名称の場所の種々の状態を示す写真のサムネイルが少なくとも１つ以上の複数個として表示される。
【００４３】
なお、図示しないが、例えば、表示部15にアイコンとして表示される「アップロード」を選択して、使用者が撮影した自宅等の部屋の写真の画像データを屋内風景データベース23に記憶し、使用者が撮影した自宅等の部屋の写真を項目表示欄31に表示させることもできる。
【００４４】
そして、サムネイル表示された写真を選択すると、図７に示すように、選択されたサムネイルの場所の写真が表示部15に大きく表示されると共に、「フレームを選ぶ」と表示されるアイコン41の表示が他のアイコン41の表示と共に行われ、この「フレームを選ぶ」のアイコン41を選択すると、フレーム選択画面表示（Ｓ１１５）が行われる。
【００４５】
このフレーム選択画面表示（Ｓ１１５）では、図８に示すように、下方に設けられる見本表示欄37にフレームの特徴を容易に確認できるサンプル情報による画像が表示され、略中央の合成画像表示欄35には選択された部屋の写真に既に選択されたジグソーパズルの絵柄が見本表示欄37に表示されているフレームのうちの一つに収納された状態として合成表示される。なお、ジグソーパズルの絵柄がそのままの状態として合成表示することもできる。
【００４６】
そして、見本表示欄37に表示されたサンプル情報の画像を選択すると、合成画像表示欄35に表示されているジグソーパズルが選択されたフレームを用いた場合の状態に表示される。
【００４７】
この見本表示欄37は、フレームの材質や装飾状態などの特質により区分けし、区分けされたフレームの色違いのものを表示するようにしている。
【００４８】
また、この見本表示欄37に表示されるサンプル情報の画像は、既に選択されたジグソーパズルを収納可能なフレームのサンプル情報の画像が表示されるものであり、制御部20は、ジグソーパズルのサイズ情報に基づき、フレームデータベース22に記憶させている全てのフレームの内、収納サイズが適合するフレームのみを自動選択して表示するものである。
【００４９】
そして、合成画像表示欄35に表示されたフレームに収納されたジグソーパズルの表示位置を移動でき、さらに、フレームに収納された状態のジグソーパズルのサイズを縮小拡大して調整でき、所望の設置場所や所望のサイズで設置した状態を視覚的に確認することができる。
【００５０】
従って、フィッティング表示（Ｓ１２０）として、図１０に示すように、ジグソーパズルの絵とフレームとを組み合わせた状態で、屋内に設置した状態を表示部15に表示することができ、完成したジグソーパズルを部屋などに飾った状態の確認が容易となり、ジグソーパズルの選択とフレームの選択とを容易に行うことができる。
【００５１】
尚、屋内風景画像データは、Ａ４用紙などの規格により大きさが定められている用紙のポスター又は白紙を壁などに貼った状態の映像とし、この大きさが定められている用紙の面積を基準面積としてジグソーパズルの画像を合成したとき、ジグソーパズルの大きさとの比較対象としてサイズ調整の補助とすることもあり、更に、この基準面積としたポスター又は白紙などの周囲をなぞるようにして表示部15に矩形の入力を行うと、選択されているジグソーパズル及びフレームの大きさを基準面積と制御部20が比較し、ジグソーパズルの表示サイズを自動調整して表示させるようにすることもある。
【００５２】
なお、使用者が撮影した自宅等の部屋の写真の画像データの場合には、使用者がジグソーパズルを飾りたい所望の位置に当該ポスター又は白紙を貼った状態で撮影した写真の画像データを用意すれば良い。
【００５３】
また、上述の様に、本考案に係る図１に示したシミュレーション装置10は、シミュレーション用のアプリケーションソフトがインストールされており、本体部12の内部に制御部20の他、記録部にパズルデータベース21やフレームデータベース22、屋内風景データベース23等を有しているも、パズルデータベース21やフレームデータベース22、屋内風景データベース23を備えるコンテンツサーバーに、電子情報端末からインターネットを介して当該コンテンツサーバーに接続し、電子情報端末において同様なシミユレーションを行うこともできる。
【００５４】
このように、コンテンツサーバーに電子情報端末を接続してシミュレーションをする場合は、電子情報端末へのシミュレーション用のアプリケーションソフトのインストールや電子情報端末の記録部へのデータベースの記憶が必要なく、さらにコンテンツサーバーのデータベースには最新のデータがアップされるため使用者のアップデート作業の必要もない。
【産業上の利用可能性】
【００５５】
本考案に係るシミュレーション装置10は、室内や廊下の壁などに完成したジグソーパズルをフレームに納めて飾る場合、屋内の状態に適した絵柄のジグソーパズルの選択を容易とすると共に、ジグソーパズルの絵柄や大きさに合致したフレームの選択を容易とし、趣味に合った絵柄のジグソーパズルを組み立てて飾っておく楽しみを確実とするジグソーパズル及びフレームを購入する際の絵柄選択や絵柄決定を容易とすることができる。
【符号の説明】
【００５６】
１０  シミュレーション装置
１２  本体部                          １５  表示部
１７  キー入力部
２１  パズルデータベース              ２２  フレームデータベース
２３  屋内風景データベース
２５  入出力インターフェース          ２７  端子
３１  項目表示欄                      ３３  写真表示欄
３５  合成画像表示欄                  ３７  見本表示欄
４１  アイコン
【図１】
0003187350.tif 000003
【図２】
0003187350.tif 000004
【図３】
0003187350.tif 000005
【図４】
0003187350.tif 000006
【図５】
0003187350.tif 000007
【図６】
0003187350.tif 000008
【図７】
0003187350.tif 000009
【図８】
0003187350.tif 000010
【図９】
0003187350.tif 000011
【図１０】
0003187350.tif 000012